(57)【要約】【課題】舞台上の空間の制約に依存せずに斬新な演出を提供すること。【解決手段】舞台演出システムは、舞台が行なわれる天井から複数の吊り下げ線を介して吊り下げられる表示パネルと、前記複数の吊り下げ線の前記舞台が行なわれる空間における長さと、前記表示パネルの表示とを動的に制御する制御装置とを有する。【選択図】図１
2017035304.tif 000002
【特許請求の範囲】
【請求項１】
舞台演出システムであって、
舞台が行なわれる天井から複数の吊り下げ線を介して吊り下げられる表示パネルと、
前記複数の吊り下げ線の前記舞台が行なわれる空間における長さと、前記表示パネルの表示とを動的に制御する制御装置と
を有する舞台演出システム。
【請求項２】
前記制御装置は、表現したいコンテンツに従って前記吊り下げ線の長さと前記表示パネルの表示とをそれぞれ個別に制御することで、前記表示パネルを前記舞台が行われる空間の任意の位置において任意の角度に制御することを特徴とする請求項１に記載の舞台演出システム。
【請求項３】
前記表示パネルは、透過性を有することを特徴とする請求項１または２に記載の舞台演出システム。
【請求項４】
前記表示パネルは、枠と、枠内の領域とから構成され、
枠内の領域には、基材がスリット状に複数配置され、各基材に複数の照明が固定されることを特徴とする請求項１から３のいずれか一項に記載の舞台演出システム。
【請求項５】
前記基材は、アクリル素材で構成されていることを特徴とする請求項４に記載の舞台演出システム。
【請求項６】
前記表示パネルは、前記基材の両面それぞれに照明を有することを特徴とする請求項４または５に記載の舞台演出システム。
【請求項７】
前記制御装置は、各照明の点灯または点滅するタイミングおよび光量を制御する制御信号を前記吊り下げ線を介して出力することを特徴とする請求項４から６のいずれか一項に記載の舞台演出システム。
【請求項８】
前記吊り下げ線のそれぞれは、電源供給ケーブルと前記制御信号を伝送する制御ケーブルとを一体化したものであることを特徴とする請求項７に記載に記載の舞台演出システム。
【請求項９】
前記表示パネルは、４本の吊り下げ線で吊り下げられており、各吊り下げ線に含まれる４本の制御ケーブルのそれぞれは個別にチャネル制御を行い、前記照明は対応するチャネルの信号に従って前記点灯、点滅、光量を制御することを特徴とする請求項８に記載の舞台演出システム。
【請求項１０】
前記照明はＬＥＤであることを特徴とする請求項４から９のいずれか一項に記載の舞台演出システム。
【請求項１１】
前記舞台演出システムは、前記天井から複数の吊り下げ線を介して吊り下げられる前記表示パネルを複数有することを特徴とする請求項１から９のいずれか一項に記載の舞台演出システム。
【請求項１２】
舞台が行なわれる天井から複数の吊り下げ線を介して吊り下げられる複数の表示パネルと、それぞれの表示パネルについての、前記複数の吊り下げ線の前記舞台が行なわれる空間における長さと前記表示パネルの表示とを制御する制御装置と、を有するシステムを用いた舞台演出方法であって、
前記制御装置が前記複数の吊り下げ線の前記舞台が行なわれる空間における長さをコンテンツのタイムラインに従って調整する信号を出力するステップと、
前記制御装置がそれぞれの前記表示パネルに含まれる各照明の調光をコンテンツのタイムラインに従って制御する信号を出力するステップと
を有する舞台演出方法。
【発明の詳細な説明】
【技術分野】
【０００１】
本発明は、劇場、コンサートホールまたはテレビスタジオ等の舞台において用いられる舞台演出システム及び舞台演出方法に関する。
【背景技術】
【０００２】
近年、劇場、コンサートホールまたはテレビスタジオ等の舞台において様々な演出がなされている。例えば、本発明者は特許文献１にてＬＥＤに代表される照明を用いた演出手法を提案している。具体的には、舞台の天井部分から吊り下げ線を介してＬＥＤを吊り下げる。このような吊り下げ線とＬＥＤとの組を多数用意する。そして、吊り下げ線によるＬＥＤの上下動と、ＬＥＤの点灯または点滅とを、演出したいコンテンツに従って動的に制御することで、動的な３次元のオブジェクトを舞台上で表現することを可能にしている。
【先行技術文献】
【特許文献】
【０００３】
【特許文献１】特許第５１７３２３１号明細書
【発明の概要】
【発明が解決しようとする課題】
【０００４】
しかしながら、特許文献１の手法では、ＬＥＤの数を増やそうとすればするほど、ＬＥＤの上下動を行なう吊り下げ線の数が増えてしまう。このため、舞台上の空間の制約に依存して表現できるコンテンツに制約ができてしまう場合がある。
【課題を解決するための手段】
【０００５】
本発明に係る舞台演出システムは、舞台が行なわれる天井から複数の吊り下げ線を介して吊り下げられる表示パネルと、前記複数の吊り下げ線の前記舞台が行なわれる空間における長さと、前記表示パネルの表示とを動的に制御する制御装置とを有することを特徴とする。
【発明の効果】
【０００６】
本発明によれば、斬新な舞台演出を行なうことが可能になる。
【図面の簡単な説明】
【０００７】
【図１】実施例１に係る舞台演出システムの構成の一例を示すブロック図である。
【図２】実施例１に係る表示パネルの正面図の例を示す図である。
【図３】実施例１に係る表示パネルを任意の高さで任意の方向の制御する例を説明するための図である。
【図４】実施例１に係る吊り下げ線の断面の例を示す図である。
【図５】実施例１に係る表示パネルの配線例を示す図である。
【図６】実施例１に係る演出効果の例を示す図である。
【図７】実施例１に係る演出効果の他の例を示す図である。
【図８】実施例１に係る演出効果の他の例を示す図である。
【図９】実施例２に係る演出効果の例を示す図である。
【発明を実施するための形態】
【０００８】
以下、図面を用いて本発明に係る実施形態を詳細に説明する。ただし、この実施形態に記載されている構成要素はあくまで例示であり、この発明の範囲をそれらに限定する趣旨のものではない。
【０００９】
［実施例１］
図１は、実施例１に係る舞台演出システムの一例を示すブロック図である。舞台演出システムは、劇場、コンサートホールまたはテレビスタジオ等の舞台において用いられる。また、屋内や屋外を問わず利用可能である。以下で示す例は屋内のコンサートホールで用いる舞台演出システムであるものとして説明する。
【００１０】
＜舞台演出システムの構成＞
図１に示す舞台演出システムは、昇降装置１０１〜１０３と、昇降装置１０１〜１０３によって長さが調整される吊り下げ線１１１〜１１３と、吊り下げ線１１１〜１１３にそれぞれ接続される表示パネル１２１〜１２３と、制御装置１３０と、昇降装置を吊るすバトン１４０と、を有する。制御装置１３０は、昇降装置１０１〜１０３による吊り下げ線の巻上げや巻き下げの制御と、表示パネルに配置された照明の点灯、点滅、および光量などを制御する。この照明の点灯、点滅、光量などの制御のことを以下では総称して調光と呼ぶことがある。
【００１１】
なお、図１においては説明を簡潔にするために、３つの表示パネルを例示している。また、１つの表示パネルについて１つの吊り下げ線と昇降装置とを示しているが、あくまで概要を説明するためであり、表示パネルと吊り下げ線と昇降装置との関係についての詳細な説明については後述する。また、バトン１４０も１つの例を示しているが、複数のバトンを設け、それぞれに昇降装置と吊り下げ線と表示パネルとの組を設けても良い。なお、バトンは吊り下げを行なうベース面を構成するものであり、昇降装置が取り付けられればどのような態様のものであってもよい。以下の構成を説明する例においては、代表的な例として昇降装置１０１、吊り下げ線１１１、表示パネル１２１の１組を例に挙げて説明するが、他の昇降装置、吊り下げ線、および表示パネルの組についても同様の構成とすることができる。なお、昇降装置と、吊り下げ線と、表示パネルとの組は少なくとも１組設けてあればよく、好ましくは、複数の組を用意するとよい。
【００１２】
昇降装置１０１は、吊り下げ線１１１を例えばモータなどにより巻き上げたり巻き下げたりする装置である。吊り下げ線１１１は表示パネル１２１を吊り下げるための線である。１つの表示パネル１２１は複数の吊り下げ線によって吊り下げられる。昇降装置１０１は、制御装置１３０からの制御に従って、モータを駆動して吊り下げ線を巻き上げたり、下げたりすることにより、舞台が行われる空間における吊り下げ線の長さを調整する。制御装置１３０からの制御に従って昇降装置が吊り下げ線１１１の長さを調整することで、表示パネル１２１を舞台が行われる空間において上下方向（垂直方向）に移動させることができる。また、昇降装置１０１は、複数の吊り下げ線のうちの一部の長さを、他の吊り下げ線の長さと異なるように吊り下げ線の長さを調整することで、舞台が行われる空間における表示パネルの向きを任意の角度に可動させることができる。詳細については後述する。なお、昇降装置１０１は吊り下げ線を巻き上げたり巻き下げたりする例を説明したが、舞台が行なわれる空間における吊り下げ線の長さを調整できる機構であればどのような構成であってもよい。
【００１３】
このように、表示パネル１２１においては、昇降装置１０１による吊り下げ線１１１の長さの調整によって、舞台が行なわれる空間における上下方向（垂直）の位置と、角度とが、任意に制御されることができる。なお、ここでは昇降装置１０１がバトン１４０に固定されており、バトン１４０もまた固定されるものとして説明するが、昇降装置１０１やバトンが移動可能な構成であれば、水平方向の位置や舞台の奥側、手前側などの任意の位置に表示パネルを制御することも可能である。
【００１４】
＜表示パネルの例＞
図２は表示パネル１２１の一例を示す図である。図２は表示パネル１２１の正面図を示している。表示パネル１２１は例えばアルミで構成される１ｍ×２ｍのフレーム枠２００によって四辺が構成されている。また、フレーム枠の上辺から下辺に向けて、例えば幅１５ｍｍ、奥行１０ｍｍ、長さ９９３ｍｍのアクリル四角形チューブで構成される棒２１０がスリット状に設けられている。図２においては３２本の棒（基材）を含む例を示している。また、各棒（各機材）の間は素通しになっている。それぞれの棒には、ＬＥＤ２２０などの照明が複数取り付けられている。ＬＥＤは、例えば各棒に一定の間隔で取り付けられており、好ましくは等間隔で取り付けられていると良い。図２の例においては、各棒に１６個のＬＥＤを設けている。従って、本実施例では１つの表示パネルにつき５１２個のＬＥＤが取り付けられている。それぞれのＬＥＤは、赤、青、緑の発光が可能であり、これらの光量を変えることで任意の色を表現することができる。
【００１５】
このように、表示パネル１２１には、複数のＬＥＤが取り付けられており、各ＬＥＤの点灯、点滅のタイミングを制御したり、光量を調整したりすることで任意の表示を行うことが可能である。例えば電光掲示板のように表示パネル１２１に自由にコンテンツを表示することができる。また、このような表示パネルを複数用意しておき、複数の表示パネル全体で１つのコンテンツを表示してもよい。
【００１６】
また、本実施例の表示パネル１２１は図２に示すようにスリット状にＬＥＤを配置する棒が設けられている。従って、表示パネル１２１は背面が部分的に透過する透過性を有する構成となっている。このため、例えば複数の表示パネルを舞台の手前側（客席側）から奥側に配置するように奥行きのある配置を採用すると、表示パネルの透過性により、観客は手前側の表示パネルでの表示内容と奥側の表示パネルでの表示内容との両方を視認することができる。従って、奥行き感のある映像コンテンツを提供することができる。
【００１７】
また、暗がりの舞台空間からＬＥＤを点灯させると、背面部分の暗がり自体もコンテンツの一部として使用することが可能となる。例えば複数の表示パネルを用いて角度を変えながら上下動を行なうと、あたかも複数の表示パネルが舞い飛んでいるかのような演出を行なうことができる。もちろん、表示パネルに含まれる各ＬＥＤの調光を制御することで任意の３次元オブジェクトが舞い飛んでいるような演出を行なうこともできる。
【００１８】
また、例えば舞台の奥側にアーティストがおり、アーティストの前面に表示パネルが配置されるような構成においても、表示パネルは透過性を有するのでアーティストの挙動を客席側から確認することができる。そして、さらにこのような部分的に透過する表示パネルにおいて、アーティストの挙動と併せて表示するコンテンツを動的に変更することで斬新な演出を行なうことも可能となる。
【００１９】
制御装置１３０は、昇降装置と、表示パネルとを制御する。制御装置１３０は、例えば昇降装置に対して吊り下げ線の巻き上げ量や、下げ量、及びそのタイミングを指示する。昇降装置はこの指示に従って、吊り下げ線の巻き上げや下げを行う。これにより、舞台が行われる空間において表示パネルを任意の高さに配置するとともに任意の角度に向かせることができる。また、制御装置１３０は表示パネルに対してＬＥＤの点灯、点滅、光量の制御を行う。制御装置は、各昇降装置と各表示パネルとを個別に制御することができる。制御装置１３０は、演出を行なうコンテンツに応じた所定のプログラムに従って、任意の昇降装置に対して吊り下げ線の巻き上げ量や下げ量などを指示し、任意の表示パネルに対してＬＥＤの点灯、点滅、光量の指示を行なう。
【００２０】
＜表示パネルが吊り下げられている例＞
図３は、バトン１４０に昇降装置１０１が取り付けられ、昇降装置１０１から吊り下げ線１１１が吊り下げられ、吊り下げ線によって、表示パネル１２１が舞台が行われる空間の所定の高さに位置し、かつ、所定の方向を向いている様子を示した図である。ここでは説明を簡便にするための１つの表示パネルを吊り下げる構成例を示している。図３に示すように、本実施例では１つの表示パネルを４本の吊り下げ線１１１ａ〜ｄで吊り下げる構成を採用する。また、吊り下げ線１１１ａ〜ｄは、表示パネル１２１の四隅と連結されている。昇降装置１０１も、各吊り下げ線１１１ａ〜ｄに対応して４つの昇降装置１０１ａ〜ｄが設けられている。
【００２１】
図４は吊り下げ線１１１ａの断面の例を示す図である。ここでは吊り下げ線１１１ａを例に挙げて説明するが、他の吊り下げ線も同様である。本実施例の吊り下げ線１１１ａはＬＥＤに電源を供給する電源供給ケーブル４０１と各ＬＥＤの点灯、点滅、光量などを制御する制御信号を伝送する制御ケーブル４０２とを一体に被覆したケーブルである。ケーブルは、アラミド繊維４０３を編みこんで芯線を包み込むように構成されており、荷重はアラミド繊維４０３にかかるように構成されている。
【００２２】
このように、本実施例の吊り下げ線１１１ａは、表示パネルの位置や向きを物理的に制御する機能と共に、表示パネルの調光の制御を行なう機能とを兼ね備えている。本実施例においては、各ＬＥＤの調光の制御をＤＭＸの規格に従って行なう。図３の例では１枚の表示パネルに対して４本の吊り下げ線（制御ケーブル）を用いて吊り下げているので、１本の制御ケーブルで使用することができるチャネル数×４のチャネルを用いてＬＥＤの調光を制御することができる。本実施例の吊り下げ線（制御ケーブル）では、ＤＭＸの規格に従って５１０チャネルを１パケットで毎秒４０回送ることが可能である。ＬＥＤ１個につき、赤、緑、青の３チャネルを使用すると、表示パネルの棒１本につき１６個のＬＥＤを配置し、棒が３２本であるので、表示パネル１枚につき総チャネルは、
３×１６×３２＝１５３６
となる。１５３６／５１０＝３．０１であるので、４本の吊り下げ線（制御ケーブル）を用いることで表示パネルの各ＬＥＤを個別に制御することが可能である。
【００２３】
図５は表示パネルの配線の様子を模式的に示した図である。前述のように、本実施例においては表示パネルに含まれる棒は３２本であるので、各吊り下げ線（制御ケーブル）は、各８本の棒に電力と制御信号とを供給する。本実施例では、図５に示すように吊り下げ線は８本の各棒に並列に接続される。また、各棒にはプリント基板が設けられており、この基板上の配線を通じて各ＬＥＤに電力と制御信号とが供給される。なお、図５は一例に過ぎず、このような配線構成に限定されるものではない。
【００２４】
このように、本実施例によれば、表示パネルの舞台の空間における位置と角度とを物理的に調整する吊り下げ線を用いてＬＥＤの調光制御も行なうように構成している。従って、例えばテレビなどと比較して画像処理ユニットや電源ユニットなどの重さが生じるような部品が表示パネルには含まれていないので、表示パネルの軽量化を実現している。また、比較的軽量に表示パネルを構成しているので、表示パネルの舞台上の空間における位置や方向を制御する際の応答性を高めることができる。
【００２５】
なお、本実施例では吊り下げ線が電力ケーブルと制御ケーブルとを一体化した例を挙げて説明したが、これに限られるものではない。例えば、表示パネルに取り付けられる照明にそれぞれ無線モジュールを接続し、制御装置からの指示が無線で行われる構成であっても良い。また、各ＬＥＤがこれらの指示を格納するメモリ等を有しており、制御装置からあらかじめメモリ内に格納された指示に従って前述の制御が行われても良い。制御装置は演出に応じた各種のプログラムに基づいて、表示パネルの位置及び角度や、表示パネルの各ＬＥＤの点灯、点滅のタイミング、点灯量などを経時的に変化させる。もちろん、制御装置は、表示パネルが所定の時間、所定の位置や角度に固定するように指示をしてもよい。
【００２６】
次に、図３に戻って表示パネルの舞台上の空間における位置や角度の制御について説明する。前述のように、表示パネル１２１は４本の吊り下げ線１１１ａ〜ｄによって四隅が支持されている。図３の例では、吊り下げ線１１１ｃと１１１ｄとの長さよりも吊り下げ線１１１ａと１１１ｂとの長さを短くする例を示している。これにより、表示パネル１２１は図３の矢印で示す方向を向くように制御される。このように、吊り下げ線の長さを変更することで舞台が行われる空間における表示パネルの高さ方向の位置を制御するだけでなく、表示パネルの角度を制御することができる。この吊り下げ線の長さの調整は、制御装置１３０から昇降装置それぞれに対する指示によって自由に行なうことができる。
【００２７】
本実施例では、このように位置や角度を任意に変えられる表示パネルを複数用いる。前述のように、この表示パネルは舞台が行われる空間における位置や角度を制御する際の応答性が高いので、このような表示パネルを用いると、特に、動的な演出を行なう際に非常に斬新な演出を提供することが可能となる。動的な演出とは、時間軸に従って表示パネルの位置や角度を変えたり、表示する画像（映像）を適宜変更する演出のことである。そして、本実施例によればこのような表示パネルを複数（多数）用意することで、斬新な演出を行なうことが可能となる。例えば、表示パネルを、縦３枚×横３枚の四角形を構成するように配置したとする。この場合、表示パネル自体が、舞台が行なわれる空間において奥行きがありかつ立体的な位置に動的に制御される。さらに、それぞれの表示パネルの角度や表示される画像（映像）が動的に制御されるので、観客は奥行き感のある映像効果を体感することができる。また、特許文献１の技術と比較して、ＬＥＤの密度を容易に高めることができるので、表現できるコンテンツが多様になる。
【００２８】
なお、表示パネルが立体的な位置に動的に制御されるとは、例えば所定のコンテンツをタイムライン上で規定した場合、タイムライン上の所定のタイミングにおいて各昇降装置における吊り下げ線の巻上げ量や巻き下げ量を調整する信号が制御装置から昇降装置に出力され、これを受けて昇降装置がモータを用いて吊り下げ線の巻上げや巻き下げを行なうことで表示パネルの立体的な位置や角度が変化され得ることある。また、表示される画像（映像）が動的に制御されるとは、同様に、所定のコンテンツをタイムライン上で規定した場合、タイムライン上の所定のタイミングにおいて各表示パネルに含まれる照明の調光を制御する信号を制御装置が出力することで、表示されるコンテンツが変化し得ることである。
【００２９】
本実施例のような演出と、従来の映像演出の手法とを比較して、本実施例の効果を補足する。例えば、従来、舞台において映像演出を行なう際に、大型のスクリーンや大型のテレビなどを舞台上に設置することがなされている。しかしながら、このような大型のスクリーンなどはあくまで背景的なものである。つまり、その映像効果が発揮されるのは、スクリーンの前面に対してのみである。また、視認できる映像効果は単なる２次元の映像表示に過ぎない。一方、本実施例においては、前述のように表示パネルの高さ方向の位置や、角度が動的に制御され、さらには表示パネルも透過の性質を備えている。従って、表示パネルの内側においても外側においてもどちらでも映像効果を視認することができる。また、奥行きがあり立体的な映像コンテンツを提供することができる。
【００３０】
また、従来、物理的に３次元の形状を有しているオブジェクト（例えば建物）などに映像を投影するプロジェクションマッピングと呼ばれる手法も存在している。この手法を用いることで、例えば舞台上において奥行きがある大道具に映像を投影することで３次元的な映像体験を実現することも考えられる。しかしながら、プロジェクションマッピングは投影対象の道具を用意することが前提であり、このような大道具は演出の制約になる。本実施例の表示パネルは必要に応じて天井から下ろせばよく、表示パネルが不要なシーンにおいては天井に上げてしまえばよいので、舞台の演出の制約になることがない。従って、大掛かりな舞台の配置の変更などを行なうことなく、演出の切り替え時の応答性も高めることができる。また、そもそも複数のパネルと各パネルの角度との組み合わせによって物理的な立体形状を形成することができるので、違和感がない奥行き感のある映像体験を提供することができる。
【００３１】
図６は、奥行き感のある映像効果を説明するための図である。図６を用いて、縦３枚、横３枚の計９枚の表示パネルを用いた場合の奥行き感のある映像体験を説明する。図６（ａ）は、舞台の真下から天井部分を見た場合の演出の１シーンを切り出した図である。図６（ｂ）は、客席側から舞台を見た場合の図６（ａ）と同じシーンを切り出した図である。図６では、表示パネルが空中を舞っているような演出を行なっている例を示している。図６では静止状態の図を示しているが、実際には各表示パネルのそれぞれを任意の高さや角度に制御し、かつ、表示されるコンテンツも制御されることになる。これにより、観客から見ると、複数の表示パネルがあたかも花びらが散っているかのように天井から地上に降りてくるといった斬新な演出を行なうことができる。
【００３２】
図６は表示パネルの位置、角度、表示内容が動的に変わる演出の例を説明したが、本実施例は動的に変わる構成に限定されるものではない。例えば、表示パネルの位置、角度を部分的に固定し、表示する内容を変えても良い。
【００３３】
図７は、本実施例による効果の一例を説明する図である。図７（ａ）においては、表示パネルは舞台の前面に配置されており、その表示パネルの後ろにアーティストがいる場面を示している。ここで、表示パネル１２１の各ＬＥＤは最大の光量で点灯しているとする。このような状態では、客席からは表示パネル１２１の背面にいるアーティストの様子を確認することはできない。この状態において表示パネル１２１の各ＬＥＤの点灯を消す。すると、図７（ｂ）に示すように、表示パネルの背面にいるアーティストを観客が確認することができる。前述のように、表示パネルは透過のアクリル棒とこのアクリル棒がスリット状に構成されているものであり、透過性を持っている。従って表示パネルがアーティストと客席との間に配置されていたとしても、観客は表示パネルの背面にいるアーティストを確認することができる。このように、本実施例によれば、ＬＥＤの制御のみでこのような応答性の高い演出を行なうことができる。
【００３４】
図８は、本実施例による効果の一例を説明する図である。図８（ａ）は、図７（ａ）と同じシーンを示している。図８（ｂ）は、図８（ａ）の状態において、表示パネルを上に持ち上げるシーンを切り出した図である。このように、表示パネルの上下動を動的に制御することでも未体験の演出を提供できる。図示していないが、図８は舞台の客席方向から舞台奥に向かって段階的にパネルの高さと向きを調整することで、あたかもピラミッドが舞台に現れている場面の１シーンであり、図８（ａ）はピラミッドの入り口のパネルであるとする。この状態において例えば図８（ｂ）に示すように、一部の表示パネルを上方に引き上げることでピラミッドから扉が開いてアーティストが登場する、といったような演出を行なうこともできる。このように、表示パネルの上下動のみを行うことでも斬新な演出効果を得ることができる。
【００３５】
このように、本実施例による舞台演出を行なうと、舞台が行なわれる空間を自在に変更することが可能となる。すなわち、観客から見た舞台の額縁（プロセニアム）を自由に変更することが可能となる。従来、プロセニアムを変更しようとする場合、大掛かりな大道具などが必要になる。しかしながら、本実施例で説明した表示パネルを用いると、一般に客席から見たプロセニアムが長方形の形状である舞台空間を、任意の形状の舞台空間に即座に変更することが可能である。例えば、上述したようなピラミッド形状のオブジェクトを形成すれば、プロセニアムを長方形から三角形に即座に変更し、また逆に、元のプロセニアムに即座に変更することができる。もちろん、三角形のみならず、円形など、自由な形状にプロセニアムを変更することができる。
【００３６】
以上説明したように、本実施例によれば斬新な映像演出を行なうことが可能となる。また、プロセニアム自体を自在に変更することができるので舞台空間が瞬時に切り替わるといった斬新な演出も行なうことができる。
【００３７】
＜実施例２＞
実施例１では、表示パネルの一方の面にＬＥＤが配置される例を説明した。実施例２においては、表示パネルの両面にＬＥＤが配置される例を説明する。なお、表示パネルの両面にＬＥＤが配置される場合であっても、昇降装置や吊り下げ線との関係は、図３で説明したような構成と同様の構成とすることができる。
【００３８】
なお、両面にＬＥＤを配置する場合には、必要なチャネル数に応じて吊り下げ線に含める制御ケーブルの本数を増やせばよい。
【００３９】
図９は、実施例２の効果の一例を示す図である。図８に示すように、例えば円形のように表示パネルを配置する。そして、舞台の左側に位置する表示パネルの前面と、舞台の右側に位置する表示パネルの背面とにコンテンツＡを表示する。一方、同様に、舞台の左側に位置する表示パネルの背面と、舞台の右側に位置する表示パネルの前面とに同じコンテンツＡを表示する。このように構成することで、舞台の左右のどちらにいる観客も同じコンテンツを見ることができる。もちろん、舞台の正面に位置する表示パネルにも同じコンテンツＡを表示することで観客のいずれの位置にいても同じコンテンツを見ることができる。また、同じコンテンツではなく、それぞれの位置に応じた異なる映像表示を行ってもよい。
【００４０】
両面にＬＥＤを配置したとしても実施例１で説明したように表示パネルは透過性を有するので、アーティストの後方のパネルに表示されるコンテンツも観客は確認することができるので、さらなる演出の表現範囲を広げることができる。
【００４１】
＜その他の実施例＞
上記の各実施例では、表示パネルの枠内にＬＥＤが取り付けられる例を説明したが、表示パネルの枠自体にＬＥＤが配置されるような構成であってもよい。
【００４２】
また、上記の例では、劇場、コンサートホールまたはテレビスタジオ等の舞台において用いられるものとして説明したが、これに限られることはない。例えば、テーマパークのアトラクションの演出や屋外での展示物などの演出においても本発明は適用可能である。つまり、本明細書で説明している「舞台」とは、演出が行なわれる対象の空間を指すものである。
【００４３】
また、上記の例では、表示パネルは４本の吊り下げ線で吊り下げられる例を説明したが、舞台が行なわれる空間において表示パネルの高さと向きとを任意に制御できればよく、この例に限られることはない。
【００４４】
また、上記の各実施例においては、表示パネルに設けられる照明はＬＥＤである場合を例に挙げて説明したが、これに限られるものではない。
【００４５】
以上説明した例は一例であり、演出目的・効果等に応じて多様な態様を採用することができる。
【図１】
2017035304.tif 000003
【図２】
2017035304.tif 000004
【図３】
2017035304.tif 000005
【図４】
2017035304.tif 000006
【図５】
2017035304.tif 000007
【図６】
2017035304.tif 000008
【図７】
2017035304.tif 000009
【図８】
2017035304.tif 000010
【図９】
2017035304.tif 000011
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
舞台演出システムであって、
舞台が行なわれる天井から複数の吊り下げ線を介して吊り下げられる表示パネルと、
前記複数の吊り下げ線の前記舞台が行なわれる空間における長さと、前記表示パネルの表示とを動的に制御する制御装置と
を有し、
前記表示パネルは、枠と、枠内の領域とから構成され、
枠内の領域には、基材がスリット状に複数配置され、各基材に複数の照明が固定される
ことを特徴とする舞台演出システム。
【請求項２】
前記制御装置は、表現したいコンテンツに従って前記吊り下げ線の長さと前記表示パネルの表示とをそれぞれ個別に制御することで、前記表示パネルを前記舞台が行われる空間の任意の位置において任意の角度に制御することを特徴とする請求項１に記載の舞台演出システム。
【請求項３】
前記表示パネルは、透過性を有することを特徴とする請求項１または２に記載の舞台演出システム。
【請求項４】
前記基材は、アクリル素材で構成されていることを特徴とする請求項１乃至３のいずれか一項に記載の舞台演出システム。
【請求項５】
前記表示パネルは、前記基材の両面それぞれに照明を有することを特徴とする請求項１乃至４のいずれか一項に記載の舞台演出システム。
【請求項６】
前記制御装置は、各照明の点灯または点滅するタイミングおよび光量を制御する制御信号を前記吊り下げ線を介して出力することを特徴とする請求項１乃至５のいずれか一項に記載の舞台演出システム。
【請求項７】
前記吊り下げ線のそれぞれは、電源供給ケーブルと前記制御信号を伝送する制御ケーブルとを一体化したものであることを特徴とする請求項６に記載の舞台演出システム。
【請求項８】
前記表示パネルは、４本の吊り下げ線で吊り下げられており、各吊り下げ線に含まれる４本の制御ケーブルのそれぞれは個別にチャネル制御を行い、前記照明は対応するチャネルの信号に従って前記点灯、点滅、光量を制御することを特徴とする請求項７に記載の舞台演出システム。
【請求項９】
前記照明はＬＥＤであることを特徴とする請求項１乃至８のいずれか一項に記載の舞台演出システム。
【請求項１０】
前記舞台演出システムは、前記天井から複数の吊り下げ線を介して吊り下げられる前記表示パネルを複数有することを特徴とする請求項１乃至９のいずれか一項に記載の舞台演出システム。
【請求項１１】
舞台が行なわれる天井から複数の吊り下げ線を介して吊り下げられる複数の表示パネルと、それぞれの表示パネルについての、前記複数の吊り下げ線の前記舞台が行なわれる空間における長さと前記表示パネルの表示とを制御する制御装置と、を有するシステムを用いた舞台演出方法であって、
前記表示パネルは、枠と、枠内の領域とから構成され、
枠内の領域には、基材がスリット状に複数配置され、各基材に複数の照明が固定され、
前記制御装置が前記複数の吊り下げ線の前記舞台が行なわれる空間における長さをコンテンツのタイムラインに従って調整する信号を出力するステップと、
前記制御装置がそれぞれの前記表示パネルに含まれる各照明の調光をコンテンツのタイムラインに従って制御する信号を出力するステップと
を有することを特徴とする舞台演出方法。